(57)【要約】【課題】電線ケーブルを巻いたリールと、電線ケーブル測長部と電線ケーブルカッタを備えた、電線ケーブル測長および電線ケーブルカット装置において、電線ケーブルが再度リールに巻きついて絡まり、電線ケーブルのテンションが規定の値を越えた場合、電線ケーブルが伸びることで電線ケーブル測長に誤差が生じる。あるいはテンション異常により、電線ケーブル測長および電線ケーブルカット装置のみならず他の生産設備が停止する。【解決手段】電線ケーブルを巻いたリールと、電線ケーブル測長部と、電線ケーブルカッタと、制御装置を備えた、電線ケーブル測長および電線ケーブルカット装置において、前記リールとテンション検知装置の間に、電線ケーブル送り出し装置を備えた電線ケーブル測長および電線ケーブルカット装置【選択図】図２
2015182185.tif 000002
【特許請求の範囲】
【請求項１】
電線ケーブルを巻いたリールと、電線ケーブル測長部と、電線ケーブルカッタと、制御装置を備えた、電線ケーブル測長および電線ケーブルカット装置において、
前記リールとテンション検知装置との間に、電線ケーブル送り出し装置を備えた
ことを特徴とする、電線ケーブル測長および電線ケーブルカット装置。
【発明の詳細な説明】
【技術分野】
【０００１】
電線ケーブルを巻いたリールと、電線ケーブル測長部と電線ケーブルカッタを備えた電線ケーブル測長および電線ケーブルカット装置に関するものである。
【背景技術】
【０００２】
光電スイッチあるいは近接スイッチなどの電子装置には、信号と電力を供給する電線ケーブルを備える。前記電子装置は、規定の長さの電線ケーブルを活用することから、電線ケーブルの長さを計測するとともに、電線ケーブルを切断する製造装置が使われる。
【先行技術文献】
【特許文献】
【０００３】
【特許文献１】特開平8-243993公報
【発明の概要】
【０００４】
文献１は、長尺の電線ケーブルを所定の長さだけ送り出す測長機構と、前記測長機構の電線ケーブル送り出し側に設けられ、所定の長さに送出された電線ケーブルを切断する切断機構を備える電線ケーブルカット装置を開示している。前記測長機構において、電線ケーブルを上方と下方に相対して設けたロールにより前記電線ケーブルを送り出すとともに、電線ケーブルを測長することを特徴とする。
【０００５】
電線ケーブルは、リール巻きして供給される場合が多い。前記リールから電線ケーブルを引き出すとともに規定の長さに切断するため、電線ケーブル測長および電線ケーブルカット装置が使用される。
【０００６】
図１は、従来の電線ケーブル測長および電線ケーブルカット装置を模式的に説明する図である。この装置は、図示しない制御装置によって全体の動きを制御されている。電線ケーブルを巻いたリール１は、回転軸（図示せず）にセットする。前記リール１は外力を受けて回転方向６に自由に回転するものとする。前記電線ケーブル８−１は、電線ケーブルにかかるテンションを計測するテンション検知装置５と、プーリー７を通過して、電線ケーブル測長および電線ケーブルカット部２に引き込まれる。前記電線ケーブル測長および電線ケーブルカット部２は、電線ケーブルを引き込む電線ケーブル引き込み装置４２−１、４２−２と、電線ケーブル測長装置（図示せず）と、電線ケーブルカッタ３と、カット済の電線ケーブル送り出し装置４１−１、４１−２と、から構成する。電線ケーブルは、前記電線ケーブルカッタ３で切断された後、前記電線ケーブル送り出し装置４１−１、４１−２により、電線ケーブル８−２として、前記電線ケーブル測長および電線ケーブルカット部２から出てくる。前記電線ケーブル引き込み装置４２−１、４２−２と、電線ケーブル送り出し装置４１−１、４１−２は電動機で駆動される。
【発明が解決しようとする課題】
【０００７】
リールに電線ケーブルが巻きつく状況を説明する。前記図１で示される電線ケーブル測長および電線ケーブルカット装置において、前記リール１は、それに巻き取られている電線ケーブル８−１が電線ケーブル引き込み装置４２−１、４２−２に引き込まれることにより、電線ケーブル８−１から力を受けて自由に回転する。前記リール１の回転量は、電線ケーブル測長および電線ケーブルカット部２に入る電線ケーブルの移動量とは必ずしも呼応しない。慣性によって電線ケーブルの移動量よりも多く前記リール１が回転するケースが見られる。かかる状態において、電線ケーブル８−１がリール１の上で隣接するケーブルに絡んでいた場合、前記リール１から電線ケーブルは離れることなく、前記リール１に巻きついたままになる（図示せず）。かかる状態では、前記リール１に巻きついた電線ケーブルは前記リール１側に引っ張られる。一方、前記電線ケーブル引き込み装置４２−１、４２−２は、電線ケーブルを引き込むことから、結果的にテンションが電線ケーブルに生ずることになり、電線ケーブルが伸びてしまう。その結果、電線ケーブル測長に誤差が発生して規定の長さで電線ケーブルを切断するのが困難になる。
【０００８】
前記リール１から離れず、電線ケーブルが何重にもリールに巻きついて絡まった状態では、前記電線ケーブルに発生するテンションが、規定の値以上となり、テンション異常が発生する。テンション検知装置５はテンション異常を検知して前述の制御装置へ通知し、制御装置は電線ケーブル測長および電線ケーブルカット装置を停止させる。このようなテンション異常が頻発すると、生産に支障をきたす恐れがある。
【０００９】
生産に支障のない電線ケーブル測長および電線ケーブルカット装置が望まれている。  
【課題を解決するための手段】
【００１０】
電線ケーブルを巻いたリールと、電線ケーブル測長部と、電線ケーブルカッタと、制御装置を備えた、電線ケーブル測長および電線ケーブルカット装置において、前記リールとテンション検知装置との間に、電線ケーブル送り出し装置を備えた電線ケーブル測長および電線ケーブルカット装置である。
【発明の効果】
【００１１】
電線ケーブル測長の誤差を小さくできる。また、テンション異常検知による設備停止は頻発しない。
【図面の簡単な説明】
【００１２】
【図１】課題がある電線ケーブル測長および電線ケーブルカット装置を説明する図である。
【図２】本発明に係わる、電線ケーブル測長および電線ケーブルカット装置を説明する図である。
【発明を実施するための最良の形態】
【００１３】
本発明の実施の形態１.を、図２を参照しながら詳細に説明する。
【００１４】
実施の形態１．
【００１５】
図２は、本発明に係わる、電線ケーブル測長および電線ケーブルカット装置の構成を示す。この装置は、図示しない制御装置によって全体の動きを制御されている。
【００１６】
前記図２の符号は、前記図１と同じである。前記図１との違いは、電線ケーブル送り出し装置９が、前記リール１と、前記テンション検知装置５の間に設置していることである。前記電線ケーブル送り出し装置９は、対向した回転プーリーであり、電動機（図示せず）で駆動される。
前記電線ケーブル送り出し装置９は、駆動装置（図示せず）により電線ケーブルを前記リール１から引き出す。前記テンション検知装置５が異常なテンションを検知しない状態になる様に、前述の制御装置は、前記電線ケーブル送り出し装置９の電線ケーブル８−１の送り出し速度を制御する。テンションがかからない場合、前記テンション検知装置５近傍の電線ケーブルは、たわんだ状態（図示せず）になることがある。そこで、前記電線ケーブルが、再度前記リール１からたわむことが無い様に、前記制御装置は前記電線ケーブル送り出し装置９の回転速度を制御する。
【００１７】
テンションがかからない状態の電線ケーブルを、前記電線ケーブル測長および電線ケーブルカット部２が引き込むので、電線ケーブルは伸びることはない。その結果、電線ケーブル測長に誤差が発生する恐れはなくなる。また、規定の値以上のテンションがかからないことから、テンション異常が発生せず、電線ケーブル測長および電線ケーブルカット装置の停止が頻発することはなくなる。  
【符号の説明】
【００１８】
１                            電線ケーブルを巻いたリール
２                            電線ケーブルカット装置
３                            電線ケーブルカッタ
４１−１、４１−２            電線ケーブル送り出し装置
４２−１、４２−２            電線ケーブル引き込み装置
５                            テンション検知装置
６                            リールの回転方向
７                            プーリー
８−１                        電線ケーブル
８−２                        切断された電線ケーブル
９                            電線ケーブル送り出し装置
【図１】
2015182185.tif 000003
【図２】
2015182185.tif 000004